(57)【要約】【課題】アンテナ装置の小型化と薄型化を図る。【解決手段】上面にアンテナ導体１５が設けられた絶縁体１４と、この絶縁体１４の下方に設けられるとともに、下面に地板１２が設けられた絶縁体１１とを有し、絶縁体１４と絶縁体１１との間に絶縁体１６を設け、絶縁体１４および絶縁体１１の誘電率を絶縁体１６の誘電率より高くすることにより主に第１の絶縁体の誘電損失によって生じる伝送損失を小さくできるので、高感度でかつ小型化薄型化としたアンテナ装置を提供できる。【選択図】図１
2006246529.tif 000002
【特許請求の範囲】
【請求項１】
アンテナ装置とこのアンテナ装置が接続された受信部とからなる受信機器であって、前記アンテナ装置は、上面にアンテナ導体が設けられた第１の絶縁体と、この第１の絶縁体の下方に設けられるとともに前記第１の絶縁体の面積より大きい面積を有する第２の絶縁体と、この第２の絶縁体の下面に設けられた地板と、前記第１の絶縁体と前記第２の絶縁体との間に設けられた第３の絶縁体と、前記アンテナ導体に設けられた給電部と、前記アンテナ導体と前記地板とが接続される連結部とから構成され、前記アンテナ導体と前記地板との間隔は前記第１および第２および第３の絶縁体による厚みとし、前記受信部は、前記第２の絶縁体の上面に前記アンテナ装置に隣接して設けられ、前記第２の絶縁体の上面に設けられた銅箔パターンにより前記給電部と前記受信部とが接続されることにより高感度化、小型化、薄型化とした受信機器。
【請求項２】
第１の絶縁体の誘電率を第２、第３の絶縁体の誘電率より高くした請求項１に記載の受信機器。
【請求項３】
第１の絶縁体の誘電率を第２の絶縁体の誘電率より高くした請求項１に記載の受信機器。
【請求項４】
第１の絶縁体の誘電率と第２の絶縁体の誘電率とを等しくした請求項１に記載の受信機器。
【発明の詳細な説明】
【技術分野】
【０００１】
本発明は、アンテナ装置が接続された受信機器に関するものである。
【背景技術】
【０００２】
従来のアンテナ装置とこれを用いた通信機器（受信機器の一例として用いた）は図４に示すようなものであった。すなわち、従来のアンテナ装置７とこれを用いた通信機器は、上面にアンテナ導体１が設けられた絶縁体２と、この絶縁体２の下面に設けられた金属板３と、アンテナ導体１の一端に設けられた給電部４と、アンテナ導体１の他端と金属板３とが接続される連結部５とを有したものであった。ここで、絶縁体２には誘電率の低いものを用いていた。さらに、金属板３上にはアンテナ装置７と通信回路６が設けられるとともに、通信回路６の一端には給電部４が接続されている。また、アンテナ装置７で受信した高周波信号は、給電部４を介して通信回路６で復調され、また通信回路６からの高周波信号は給電部４を介してアンテナ装置７から送信される。
【０００３】
なお、この出願の発明に関連する先行技術文献情報としては、例えば、特許文献１が知られている。
【特許文献１】特公平６−９３６３５号公報
【発明の開示】
【発明が解決しようとする課題】
【０００４】
しかしながらこのような従来のアンテナ装置において、例えば１００ＭＨｚ以上の高い周波数で使用される通信機器では、携帯性の用途からアンテナ装置についても小型化薄型化が要求されてきた。しかし、アンテナ装置が小型化薄型化されると小型アンテナで受信するときの受信感度が特に問題となり、送信されていくる微弱な高周波信号を確実に受信できるアンテナ装置が必要になってくる。
【０００５】
そこで、このアンテナ受信感度の劣化を防止するため誘電率の低い絶縁体２を使用して誘電損失を小さくしていた。このように誘電率の低い絶縁体２を用いると、アンテナゲインの関係から絶縁体２が大型化厚型化してしまうという問題があった。
【０００６】
本発明は、このような問題点を解決するもので、小型化でかつ薄型化されたアンテナ装置が接続された受信機器を提供することを目的としたものである。
【課題を解決するための手段】
【０００７】
この目的を達成するために本発明の受信機器は、アンテナ装置とこのアンテナ装置が接続された受信部とからなる受信機器であって、前記アンテナ装置は、上面にアンテナ導体が設けられた第１の絶縁体と、この第１の絶縁体の下方に設けられるとともに前記第１の絶縁体の面積より大きい面積を有する第２の絶縁体と、この第２の絶縁体の下面に設けられた地板と、前記第１の絶縁体と前記第２の絶縁体との間に設けられた第３の絶縁体と、前記アンテナ導体に設けられた給電部と、前記アンテナ導体と前記地板とが接続される連結部とから構成され、前記アンテナ導体と前記地板との間隔は前記第１および第２および第３の絶縁体による厚みとし、前記受信部は、前記第２の絶縁体の上面に前記アンテナ装置に隣接して設けられ、前記第２の絶縁体の上面に設けられた銅箔パターンにより前記給電部と前記受信部とが接続されることにより高感度化、小型化、薄型化としたものである。
【０００８】
これにより、受信機器の高感度化、小型化、薄型化を図ることができる。
【発明の効果】
【０００９】
以上のように本発明によれば、アンテナ装置とこのアンテナ装置が接続された受信部とからなる受信機器であって、前記アンテナ装置は、上面にアンテナ導体が設けられた第１の絶縁体と、この第１の絶縁体の下方に設けられるとともに前記第１の絶縁体の面積より大きい面積を有する第２の絶縁体と、この第２の絶縁体の下面に設けられた地板と、前記第１の絶縁体と前記第２の絶縁体との間に設けられた第３の絶縁体と、前記アンテナ導体に設けられた給電部と、前記アンテナ導体と前記地板とが接続される連結部とから構成され、前記アンテナ導体と前記地板との間隔は前記第１および第２および第３の絶縁体による厚みとし、前記受信部は、前記第２の絶縁体の上面に前記アンテナ装置に隣接して設けられ、前記第２の絶縁体の上面に設けられた銅箔パターンにより前記給電部と前記受信部とが接続されることにより高感度化、小型化、薄型化としたものである。
【００１０】
これにより、高感度でかつ小型化、薄型化とした受信機器を提供することができる。
【００１１】
更に、第２の絶縁体の面積は第１の絶縁体の面積より大きいので、この第２の絶縁体上に電子回路を設けることができる。
【００１２】
また、アンテナ装置の第１の絶縁体に隣接するとともに第２の絶縁体上に受信部を設け、この受信部に給電部が接続された受信機器であり、小型化と薄型化と高感度化を図ることができる。
【００１３】
さらにまた、給電部側と受信部側とは近接させることができるので、給電部側と受信部側との接続ロスを少なくするとともに、小型化された受信機器を実現することができる。
【発明を実施するための最良の形態】
【００１４】
（実施の形態１）
以下、本発明の実施の形態について、図面を参考にしながら説明する。
【００１５】
図１は、本発明のアンテナ装置とこれを用いた通信機器の断面図である。図１において、この通信機器は絶縁体１１（第２の絶縁体の一例として用いた）上にアンテナ装置２３と、このアンテナ装置２３に隣接して通信回路２０が設けられている。絶縁体１１の下面には地板１２がパターン印刷技術を用いて装着されており、絶縁体１１の上面には銅箔のパターン１３および１３ａが設けられている。
【００１６】
１４は絶縁体１１上に載置された絶縁体（第１の絶縁体の一例として用いた）であり、その上面にはアンテナ導体１５が設けられている。また、絶縁体１１と絶縁体１４との間には絶縁体（第３の絶縁体の一例として用いた）１６が設けられている。
【００１７】
１８はアンテナ導体１５の一方の端に設けられた給電部であり、この給電部１８に接続されている端面電極１９は半田付け部１３ｂによりパターン１３ａに接続され、さらにこのパターン１３ａにより通信回路２０を構成する送受信回路２１ａに接続されている。２１ｂは通信回路２０を形成する電子部品であり、送受信回路２１ａとともにパターン１３上に装着されている。２２は、送受信回路２１ａおよび電子部品２１ｂを覆う金属製のシールドケースであり地板１２にスルーホールにより接続されている。
【００１８】
図２は、通信機器の斜視図である。アンテナ装置２３の給電部１８はアンテナ導体１５の通信回路２０側の側面に設けられている。連結部１７は、アンテナ導体１５の給電部１８側の側面に隣接する面に設けられており、この連結部１７に接続されている端面電極２４は半田付け部２４ｂにより絶縁体１１上のスルーホール２４ａを介して地板１２に接続されている。
【００１９】
また、アンテナ導体１５上において連結部１７と給電部１８との相対位置を変えることにより、アンテナ装置２３と通信回路２０との良好な整合をとることができ、高周波信号を効率良く伝達できアンテナゲインの改善が可能となる。このとき、連結部１７と給電部１８の片方あるいは両方をスルーホールで形成しても同様の効果が得られる。
【００２０】
さらに、給電部１８は通信回路２０側の側面に設けることが望ましいが、連結部１７は、給電部１８と同じ側面であっても、給電部１８に隣接する側面であっても、更に給電部１８に対応する向かい合った側面であっても良い。
【００２１】
以下、具体的な動作について図１および図２を用いて説明する。
【００２２】
例えば絶縁体１１には４程度の誘電率の絶縁材料を用い、絶縁体１４には１０程度の高い誘電率の絶縁材料を用い、絶縁体１６には２程度の低い誘電率の絶縁材料を用いたとして以下説明する。このように、絶縁体１４に１０程度の高い誘電率の絶縁材料を使用した場合には、誘電率をεとすると（数１）のように波長λ0が波長λに短縮されるので小型化と薄型化が可能となる。
【００２３】
【数１】
2006246529.tif 000003
【００２４】
ところが、高い誘電率の絶縁体を用いた場合は誘電損失による伝送損失が発生してアンテナゲインが下がり、結果としてアンテナ受信感度が低下してしまう。
【００２５】
（数２）では、アンテナ導体１５と地板１２との間隔をｔとし、波長λを用いてアンテナゲインＧを表している。
【００２６】
【数２】
2006246529.tif 000004
【００２７】
（数２）において、ｔ／λが大きい領域ではアンテナゲインＧはある定数Ｋ１をもってほぼｔ／λに比例していることを表している。しかし、ｔ／λが小さくなる領域では急激にアンテナゲインＧが低下することが知られている。このため、使用周波数が例えば１００ＭＨｚと低くなるにつれて波長λが大きくなると、アンテナ導体１５と地板１２との間隔ｔを大きくする必要が生じアンテナ装置の厚みが増してしまうのである。薄型化するためには、より高い誘電率を持つ絶縁体を使用することが必要であり、（数１）より波長λ0がλに短縮できるので間隔ｔを小さくできる。
【００２８】
（数３）では、使用周波数における絶縁体による誘電損Ｌを表している。
【００２９】
【数３】
2006246529.tif 000005
【００３０】
（数３）において、誘電損Ｌは、ある定数Ｋ２をもって使用周波数ｆと絶縁体の誘電率εと誘電正接ｔａｎδにほぼ比例することを表している。
【００３１】
つまり、アンテナ導体と地板の間に高い誘電率εを持つ絶縁体を使用することにより誘電損Ｌが生じ、また高い誘電率εを有する絶縁体は一般的に誘電正接ｔａｎδも大きいのでさらに誘電損Ｌが大きくなってしまい、結果としてアンテナゲインＧが低下してしまうことになる。
【００３２】
これに対して、絶縁体１４と絶縁体１１の誘電率を絶縁体１６の誘電率より大きくすることにより、絶縁体１４と絶縁体１１と絶縁体１６とからなる全体の等価誘電率εと全体の等価誘電正接ｔａｎδとが低い誘電率εを有する絶縁体１６により抑えられる。これにより、アンテナ導体１５と地板１２との間に発生する誘電損失Ｌを防止することができる。
【００３３】
ところが、アンテナ導体１５に最も近い絶縁体１４を高い誘電率εとしているのでこの絶縁体１４の高い誘電率εが支配的となり、その結果として波長が短縮され小型化と薄型化が可能となる。以上により、小型化と薄型化と高感度化とを実現することができる。
【００３４】
具体例として、絶縁体１４や絶縁体１１の誘電率に対して絶縁体１６に例えば誘電率が２．６であるフッ素樹脂系の材料やさらに低い誘電率を有する材料を用いる方法がある。この低い誘電率を有する絶縁材料として、レジスト印刷あるいはフィルムスクリーンあるいは接着剤あるいは空気を用いてもよい。この空気を用いたとすると誘電率は１となるので、誘電損Ｌが小さくできるのでアンテナゲインＧが増す。
【００３５】
ところが、この絶縁体１６の厚みを大きくしていくと、（数２）より全体の誘電率εと全体の誘電正接ｔａｎδが小さくなって誘電損Ｌが小さくできるが、絶縁体１６の誘電率εによって波長が短縮されないことになりアンテナ装置が大型化してしまうので、絶縁体１６の誘電率の高低に応じて絶縁体１６の厚みを最適に設定する必要がある。
【００３６】
また、絶縁体１４として絶縁体１１と同じ例えば４程度の誘電率εを持つ材料を用いることもでき、絶縁体１４に高い誘電率εを用いた場合と比べてアンテナ装置は少し大きくなるが、比較的高い使用周波数では波長が小さいので小型のアンテナ装置に適しており、また材料費を安くすることができる。
【００３７】
図３は、通信回路２０のブロック図と周辺回路である。図３において、２５は入出力端子であり、アンテナ装置２３の給電部１８に接続されるものである。入出力端子２５はアンテナスイッチ２６に接続されている。このアンテナスイッチ２６の一方の端子はバンドパスフィルタ２７と受信部２８を介してスピーカ２９に接続されている。
【００３８】
なお、アンテナ装置２３の給電部１８から直接バンドパスフィルタ２７に接続して受信部２８を有する受信機器としてもよい。
【００３９】
３０はマイクロホンであり、送信部３１と電力増幅器３２を介してアンテナスイッチ２６の他方の端子に接続されている。３３は制御部であり、受信部２８と送信部３１に接続されて夫々を制御するとともに、表示部３４とキーボード３５に接続されている。
【産業上の利用可能性】
【００４０】
本発明の受信機器は、小型化、薄型化されたものであり、携帯用として用いられる受信機器に適用することができる。
【図面の簡単な説明】
【００４１】
【図１】本発明の一実施の形態におけるアンテナ装置とこれを用いた通信機器の断面図
【図２】同、斜視図
【図３】同、通信機器を形成する通信回路のブロック図と周辺回路図
【図４】従来のアンテナ装置とこれを用いた通信機器の断面図
【符号の説明】
【００４２】
１１  絶縁体
１２  地板
１３ａ  導体パターン
１４  絶縁体
１５  アンテナ導体
１６  絶縁体
１７  連結部
１８  給電部
２３  アンテナ装置
２８  受信部
【図１】
2006246529.tif 000006
【図２】
2006246529.tif 000007
【図３】
2006246529.tif 000008
【図４】
2006246529.tif 000009